(57)【要約】      （修正有）【課題】簡単に組み立てることができる間仕切りを提供する。【解決手段】本開示に係る間仕切り１は、空間を仕切って簡易ブースを形成するための間仕切りにおいて、夫々に貫通孔２１、３２が設けられている複数の板材（平板部材２及びコーナー部材３）を備え、複数の前記板材が、夫々が床面から立ち上がるように、且つ、隣り合う前記板材夫々の前記貫通孔が互いに重なるように配され、互いに重なる前記貫通孔を接合用部材が貫通することによって、隣り合う前記板材同士が接合されて前記簡易ブースとなすべき空間の４方又は３方を囲むように連ねられ、前記空間を屋根部材５が上側から覆うことを特徴とする。【選択図】図２
0003233458.tif 000002
【実用新案登録請求の範囲】
【請求項１】
空間を仕切って簡易ブースを形成するための間仕切りにおいて、
夫々に貫通孔が設けられている複数の板材を備え、
複数の前記板材が、夫々が床面から立ち上がるように、且つ、隣り合う前記板材夫々の前記貫通孔が互いに重なるように配され、
互いに重なる前記貫通孔を接合用部材が貫通することによって、隣り合う前記板材同士が接合されて前記簡易ブースとなすべき空間の４方又は３方を囲むように連ねられ、
前記空間を屋根部材が上側から覆うことを特徴とする間仕切り。
【請求項２】
隣り合う前記板材の一方は、矩形状の平板部材であり、
隣り合う前記板材の他方は、折り曲げ線を介して隣り合う２つの矩形状の平板部を有する、断面Ｌ字状又はＶ字状のコーナー部材であり、
４つの前記コーナー部材が前記簡易ブースの４隅となり、４つ又は３つの前記平板部材が前記簡易ブースを囲む４つ又は３つの壁となるようにして、前記平板部材の両側に２つの前記コーナー部材が接合されることを特徴とする請求項１に記載の間仕切り。
【請求項３】
三角形の板状の部材本体と、
該部材本体の２辺部から立ち上がり、夫々に開口が設けられている２つの舌片と
を一体的に有する補強部材を更に備え、
前記コーナー部材が有する２つの前記平板部夫々の上部に開口が設けられており、
２つの前記平板部夫々の開口と２つの前記舌片夫々の開口とが互いに重なるように配され、
互いに重なる前記開口を接合用部材が貫通することによって、前記補強部材が前記コーナー部材に架設されることを特徴とする請求項２に記載の間仕切り。
【請求項４】
前記補強部材の前記部材本体及び前記屋根部材夫々に接合部材が設けられ、
前記補強部材の前記部材本体の接合部材と前記屋根部材の接合部材とが互いに接合されることを特徴とする請求項３に記載の間仕切り。
【請求項５】
前記コーナー部材の上下２ヶ所に２つの前記補強部材が接合されることを特徴とする請求項３又は４に記載の間仕切り。
【請求項６】
前記平板部材の少なくとも１つは、折り曲げ線と切り込みからなる開き戸とが設けられていることを特徴とする請求項２から５の何れか一項に記載の間仕切り。
【請求項７】
２つの前記コーナー部材が、２つの前記平板部の一方同士が平行に対向し、２つの前記平板部の他方の側端面同士が対向するようにして配され、
２つの前記平板部の他方の上部同士の間に架設される架設部材と、
該架設部材から垂下し、該架設部材と２つの前記平板部の他方とに囲まれる空間を開閉する幕状部材と
を更に備えることを特徴とする請求項２から６の何れか一項に記載の間仕切り。
【考案の詳細な説明】
【技術分野】
【０００１】
本開示は、間仕切りに関する。
【背景技術】
【０００２】
従来、屋内空間を間仕切りで仕切って簡易ブースを形成することがある。例えば複数の使用目的で屋内空間を使用する場合に簡易ブースを形成することにより、簡易ブースの内外を相異なる使用目的で使用することができる。間仕切りが非透光性を有する場合、簡易ブースを、外部から目隠しされた小部屋として利用することができる。
特許文献１に記載の平板体は矩形状をなし、床面から立ち上がるように配される。複数の平板体が接合されることにより、間仕切りが構成される。
【０００３】
平板体の両側端面には互いに対応する凹凸が設けられている。一の平板体の側端面に設けられた凹部に他の平板体の側端面に設けられた凸部が嵌め合わされることにより、複数の平板体が面一に接合される。
平板体の両側辺部には孔部が設けられている。一の平板体の一辺部に設けられた孔部に他の平板体の側端面に設けられた凸部が嵌め合わされることにより、複数の平板体が互いに垂直に接合される。
【０００４】
平板体同士の接合を補強すべく、２つの貫通孔を有する補強具が用いられる。各平板体の上端面には補強具用凸が設けられている。隣り合う２つの平板体に補強具が上側から接近することにより、隣り合う２つの平板体夫々の上端面にある２つの補強具用凸が補強具の２つの貫通孔に嵌め合わされる。この結果、平板体同士の接合が補強される。
【先行技術文献】
【特許文献】
【０００５】
【特許文献１】特開２００５−１３３５０８号公報
【考案の概要】
【考案が解決しようとする課題】
【０００６】
しかしながら、特許文献１に記載の平板体の場合、平板体同士の凹凸の嵌め合わせ、又は平板体同士の凸部と孔部との嵌め合わせを行なった上で、補強具による接合の補強を行なう必要があるので、間仕切りを組み立てる作業が煩わしい。
特に、平板体の高さが作業者の目の位置よりも高い場合、補強具を上側から平板体に近づけて平板体の補強具用凸を補強具の貫通孔に嵌め合わせる作業は容易ではない。
【０００７】
本開示の目的は、簡単に組み立てることができる間仕切りを提供することにある。
【課題を解決するための手段】
【０００８】
本開示に係る間仕切りは、空間を仕切って簡易ブースを形成するための間仕切りにおいて、夫々に貫通孔が設けられている複数の板材を備え、複数の前記板材が、夫々が床面から立ち上がるように、且つ、隣り合う前記板材夫々の前記貫通孔が互いに重なるように配され、互いに重なる前記貫通孔を接合用部材が貫通することによって、隣り合う前記板材同士が接合されて前記簡易ブースとなすべき空間の４方又は３方を囲むように連ねられ、前記空間を屋根部材が上側から覆うことを特徴とする。
【０００９】
本開示にあっては、各板材に貫通孔が設けられている。各板材は床面から立ち上がるように配されるので、貫通孔の深さ方向は床に沿う方向である。
隣り合う板材の貫通孔同士は互いに重なるように配される。接合用部材は床に沿う方向に貫通孔に接近して貫通孔を貫通する。互いに重なる貫通孔を接合用部材が貫通することにより、隣り合う板材同士が接合される。
【００１０】
接合用部材によって板材同士が確実に接合されるので、補強具による板材同士の接合の補強を行なう必要がない。
また、接合用部材を板材の高さよりも高い位置に持っていく必要がないので、板材の高さが作業者の目の位置よりも高い場合でも、接合用部材を床に沿う方向に貫通孔に近づけて貫通孔を貫通させる作業は容易である。
以上の結果、間仕切りを簡単に組み立てることができる。
【００１１】
屋根部材によって簡易ブースが上側から覆われるので、簡易ブースの閉鎖性を向上させることができる。故に、例えば簡易ブース内の空気調和の効率化を図ることができる。
【００１２】
本開示に係る間仕切りは、隣り合う前記板材の一方は、矩形状の平板部材であり、隣り合う前記板材の他方は、折り曲げ線を介して隣り合う２つの矩形状の平板部を有する、断面Ｌ字状又はＶ字状のコーナー部材であり、４つの前記コーナー部材が前記簡易ブースの４隅となり、４つ又は３つの前記平板部材が前記簡易ブースを囲む４つ又は３つの壁となるようにして、前記平板部材の両側に２つの前記コーナー部材が接合されることを特徴とする。
【００１３】
本開示にあっては、平板部材がコーナー部材に接合される。コーナー部材は断面Ｌ字状をなすか、又は断面Ｖ字状をなすので、容易に自立する。平板部材はコーナー部材に接合されることにより自立する。従って、平板部材を自立させるための部材を別途用いることなく、平板部材を壁とした簡易ブースを容易に形成することができる。
【００１４】
４つのコーナー部材は矩形状の簡易ブースの４隅となる。４つ又は３つの平板部材は矩形状の簡易ブースを囲む４つ又は３つの壁となる。以上の結果、矩形状の簡易ブースを形成することができる。
【００１５】
本開示に係る間仕切りは、三角形の板状の部材本体と、該部材本体の２辺部から立ち上がり、夫々に開口が設けられている２つの舌片とを一体的に有する補強部材を更に備え、前記コーナー部材が有する２つの前記平板部夫々の上部に開口が設けられており、２つの前記平板部夫々の開口と２つの前記舌片夫々の開口とが互いに重なるように配され、互いに重なる前記開口を接合用部材が貫通することによって、前記補強部材が前記コーナー部材に架設されることを特徴とする。
【００１６】
本開示にあっては、コーナー部材に補強部材が架設される。補強部材はコーナー部材を補強することができる。補強されたコーナー部材は平板部材を支持するのに更に適している。
補強部材の架設は、補強部材の２つの舌片とコーナー部材が有する２つの平板部とが接合用部材を用いて接合されることによって行なわれる。舌片と平板部との接合の手順は平板部材と平板部との接合の手順と同様なので、補強部材の架設作業は容易である。
【００１７】
本開示に係る間仕切りは、前記補強部材の前記部材本体及び前記屋根部材夫々に接合部材が設けられ、前記補強部材の前記部材本体の接合部材と前記屋根部材の接合部材とが互いに接合されることを特徴とする。
【００１８】
本開示にあっては、コーナー部に架設された補強部材の接合部材に、屋根部材の接合部材が接合されることによって、簡易ブースが上側から覆われる。
コーナー部材は補強されているので屋根部材を支持するのに適している。
【００１９】
本開示に係る間仕切りは、前記コーナー部材の上下２ヶ所に２つの前記補強部材が接合されることを特徴とする。
【００２０】
本開示にあっては、コーナー部材の上下２ヶ所に２つの補強部材が架設されるので、コーナー部材の機械強度を更に増大させることができる。
【００２１】
本開示に係る間仕切りは、前記平板部材の少なくとも１つは、折り曲げ線と切り込みからなる開き戸とが設けられていることを特徴とする。
【００２２】
本開示にあっては、折り曲げと切り込みとによって平板部材に設けられる開口を、簡易ブースの出入口として利用することができる。また、平板部材に設けられた開き戸で簡易ブースの出入口を開閉することができる。
【００２３】
本開示に係る間仕切りは、２つの前記コーナー部材が、２つの前記平板部の一方同士が平行に対向し、２つの前記平板部の他方の側端面同士が対向するようにして配され、２つの前記平板部の他方の上部同士の間に架設される架設部材と、該架設部材から垂下し、該架設部材と２つの前記平板部の他方とに囲まれる空間を開閉する幕状部材とを更に備えることを特徴とする。
【００２４】
本開示にあっては、一のコーナー部材が有する２つの平板部の一方と、他のコーナー部材が有する２つの平板部の一方とが、互いに平行に対向する。また、一のコーナー部材が有する２つの平板部の他方の側端面と、他のコーナー部材が有する２つの平板部の他方の側端面とが、互いに対向する。
架設部材は、一のコーナー部材が有する２つの平板部の他方の上部と、他のコーナー部材が有する２つの平板部の他方の上部との間に架設される。
幕状部材は、架設部材から垂下する。
【００２５】
架設部材と、一のコーナー部材が有する２つの平板部の他方と、他のコーナー部材が有する２つの平板部の他方とに囲まれる空間を、簡易ブースの出入口として利用することができる。また、幕状部材で簡易ブースの出入口を開閉することができる。
コーナー部材はＬ字状又はＶ字状をなすので、平板部材に比べて倒れたり屈曲したりしにくい。故に、コーナー部材は架設部材及び幕状部材を支持するのに適している。
【考案の効果】
【００２６】
本開示の間仕切りによれば、間仕切りを簡単に組み立てることができる。
【図面の簡単な説明】
【００２７】
【図１】実施の形態１に係る間仕切りの斜視図である。
【図２】間仕切りの分解斜視図である。
【図３】実施の形態２に係る間仕切りの斜視図である。
【図４】間仕切りの分解斜視図である。
【考案を実施するための形態】
【００２８】
以下、本開示の実施の形態について説明する。
【００２９】
実施の形態  １．
図１は、実施の形態１に係る間仕切りの斜視図である。
図中１は間仕切りであり、間仕切り１は床面に載置される。間仕切り１は、底面が全面的に開放されている矩形箱状をなす。間仕切り１の内側に簡易ブース１０が形成される。簡易ブース１０の間口、奥行き、及び高さは夫々約２ｍである。
【００３０】
図２は、間仕切り１の分解斜視図である。
間仕切り１は４つの平板部材２及び４つのコーナー部材３を備え、コーナー部材３毎に２つの補強部材４を備える。図２にはコーナー部材３及び補強部材４夫々の展開図が含まれており、一点鎖線は折り曲げ線を示している。
【００３１】
各平板部材２は一方向に長い矩形の板材である。平板部材２は遮光性を有することが望ましく、例えば段ボール製である。
平板部材２の各長辺部に２つの貫通孔２１が設けられている。各貫通孔２１は平板部材２を厚さ方向に貫通している。２つの貫通孔２１は平板部材２の長辺部に沿い、適長離隔して並んでいる。４つの貫通孔２１は、平板部材２の長辺部に平行な中心線に対して対称に、且つ平板部材２の短辺部に平行な中心線に対して対称に配されている。貫通孔２１は平板部材２の短辺部から適長離隔している。
貫通孔２１の形状は、後述する接合用部材１１の形状に対応する。例えば貫通孔２１は平板部材２の長辺部に沿って延びる長穴である。
【００３２】
各コーナー部材３は２つの平板部３１を一体的に有する板材である。平板部３１は一方向に長い矩形である。２つの平板部３１は互いに合同であり、一方の平板部３１の一方の長辺部から他方の平板部３１が垂直に立ち上がる。
コーナー部材３は遮光性を有することが望ましく、例えば一方向に長い矩形の段ボールを、長辺部に平行な中心線（折り曲げ線）に沿って折り曲げることによって形成される。２つの平板部３１は折り曲げ線を介して隣り合う。
【００３３】
平板部３１の他方の長辺部には２つの貫通孔３２が設けられている。２つの貫通孔３２は平板部３１の長辺部に沿い、適長離隔して並んでいる。貫通孔３２は平板部３１の短辺部から適長離隔している。平板部３１の２つの貫通孔３２の形状及び配置は、平板部材２の長辺部に並んでいる２つの貫通孔２１の形状及び配置に対応する。
平板部３１の各短辺部には開口３３が設けられている。開口３３は平板部３１を厚さ方向に貫通している貫通孔であり、平板部３１の長辺部から適長離隔している。
開口３３夫々の形状は、後述する接合用部材１１の形状に対応する。例えば開口３３は平板部３１の短辺部に沿って延びる長穴である。
【００３４】
各補強部材４は部材本体４１と２つの舌片４２とを一体的に有する。
部材本体４１は直角三角形の板状をなす。
２つの舌片４２は部材本体４１の２つの隣辺部から垂直に立ち上がる。各舌片４２は部材本体４１の隣辺部を一方の長辺部とする矩形板状をなす。
補強部材４は、例えば部材本体４１及び２つの舌片４２となすべき部分を一体に有する段ボールを、部材本体４１と舌片４２との境界部分で折り曲げることによって形成される。
舌片４２には開口４３が設けられている。舌片４２の開口４３の形状及び配置は、コーナー部材３の平板部３１の開口３３の形状及び配置に対応する。
【００３５】
２つの補強部材４はコーナー部材３の長手方向の両端部に取り付けられる。
補強部材４の２つの舌片４２は、開口４３が開口３３に重なるようにして、コーナー部材３の２つの平板部３１の外面に重ねられる。このとき、補強部材４の部材本体４１の直角部分が２つの平板部３１により形成される直角部分に位置し、部材本体４１の２つの隣辺部が２つの平板部３１の２つの短辺部に接触する。
【００３６】
ここで、接合用部材１１は、例えばダンボール迷路用の連結パーツである。接合用部材１１は合成樹脂製であり、筒状部分１１１とフランジ１１２とを一体的に備える。筒状部分１１１は長円状の断面を有し、互いに重なる開口３３，４３を貫通する。フランジ１１２は筒状部分１１１の一端部に設けられており、開口３３（又は開口４３）の周縁部に係合する。筒状部分１１１の内側に図示しない係合部が収納されており、係合部は所定の操作により筒状部分１１１の他端部から突出して展開し、開口４３（又は開口３３）の周縁部に係合する。
【００３７】
互いに重なる開口３３，４３を接合用部材１１が貫通して開口３３，４３夫々の周縁部に係合することによって、舌片４２が平板部３１に接合される。この結果、補強部材４の部材本体４１が２つの平板部３１夫々の短辺部の間に架設される。
【００３８】
２つの補強部材４がコーナー部材３に取り付けられることにより、コーナー部材３は補強される。
コーナー部材３は、２つの平板部３１が平面視Ｌ字状に配されるようにして、床面に載置される。このとき、コーナー部材３は自立する。
【００３９】
４つのコーナー部材３が簡易ブース１０の４隅となり、４つの平板部材２が簡易ブース１０を囲む４つの壁となるようにして、平板部材２の両側に２つのコーナー部材３が接合される。このとき、コーナー部材３の２つの平板部３１に２つの平板部材２が接合される。
コーナー部材３の平板部３１と平板部材２とを接合する場合、２つの貫通孔２１が２つの貫通孔３２に重なるようにして、平板部材２の長辺部が平板部３１に重ねられる。
互いに重なる貫通孔２１，３２を接合用部材１１が貫通して貫通孔２１，３２夫々の周縁部に係合することによって、平板部材２が平板部３１に接合される。
【００４０】
４つの平板部材２の内、１つの平板部材２には開口２３と開き戸２４とが設けられている。
開口２３は矩形状をなす。開口２３の幅及び高さは、人間が開口２３を容易に通り抜けることができるように設計されている。開き戸２４は開口２３を開閉可能に覆う。開き戸２４の戸先には指掛け部２４１が設けられている。指掛け部２４１は開き戸２４を厚さ方向に貫通する貫通孔である。使用者は開き戸２４の開閉時に指掛け部２４１に指を挿入し、指掛け部２４１の開口周縁部に指を掛ける。
【００４１】
平板部材２が段ボール製である場合、開口２３を形成するために、平板部材２の一方の短辺部から他方の短辺部に向けて、長辺部に平行な第１の切り込みが入れられる。第１の切り込みの終端は他方の短辺部から適長離隔している。第１の切り込みは一方の長辺部の近傍に配される。第１の切り込みの終端から他方の長辺部に向けて、短辺部に平行な第２の切り込みが入れられる。第２の切り込みの終端は他方の長辺部から適長離隔している。第２の切り込みの終端から一方の短辺部にわたって長辺部に平行な折り曲げ線が設けられる。平板部材２における第１の切り込みと第２の切り込みと折り曲げ線とに囲まれた部分は、折り曲げ線をヒンジ部とする開き戸２４として機能する。第１の切り込みと第２の切り込みと折り曲げ線とに囲まれた空間は、開口２３として機能する。
【００４２】
間仕切り１は２つの屋根部材５を更に備える。
屋根部材５は一方向に長い矩形板であり、例えば段ボール製である。屋根部材５の一方の長辺部の両端には接合部材５１が設けられている。接合部材５１は、例えばオス型の面ファスナであり、屋根部材５に貼り付けられている。
各コーナー部材３の上部にある補強部材４には、接合部材５１に対応する接合部材４４が設けてある。接合部材４４は、例えばメス型の面ファスナであり、部材本体４１の上面に貼り付けられている。
【００４３】
屋根部材５は、２つの接合部材５１が２つのコーナー部材３夫々の接合部材４４に接合されるようにして、２つのコーナー部材３夫々の補強部材４の部材本体４１に載置される。屋根部材５の一方の長辺部及び２つの短辺部は、３つの平板部材２の上端面に載置される。２つの屋根部材５は、他方の長辺部（接合部材５１が設けられていない方の長辺部）同士が重なるようにして配される。
【００４４】
以上のような間仕切り１によれば、例えば大部屋に簡易ブース１０を設け、簡易ブース１０を居室として用い、間仕切り１の外側を通路として用いることができる。
間仕切り１は遮光性を有するので、簡易ブース１０は間仕切り１の外側から目隠しされる。故に、例えば災害時の避難所に間仕切り１を設置することにより、プライバシーが保護された簡易ブース１０を被災者に提供することができる。
【００４５】
間仕切り１の組み立ての際、作業者は、まず、４つのコーナー部材３を準備し、夫々に２つの補強部材４を取り付ける。コーナー部材３に対する補強部材４の取り付けは、コーナー部材３を床に自立させた状態で行なってもよく、コーナー部材３の長手方向が床に沿う状態で行なってもよい。
【００４６】
コーナー部材３を床に自立させた状態で行なう場合、作業者は、コーナー部材３の下側に一方の補強部材４の部材本体４１を挿し込み、他方の補強部材４の部材本体４１をコーナー部材３の上部に載置する。その後、作業者は各開口４３を開口３３に重ね、互いに重なる開口３３，４３に、接合用部材１１の筒状部分１１１を例えば開口３３側から押し入れて貫通させ、フランジ１１２を開口３３の周縁部に押し付けて係合させる。次に、作業者は所定の操作により接合用部材１１の係合部を開口４３の周縁部に係合させる。
【００４７】
接合用部材１１によって舌片４２が平板部３１に確実に接合されるので、別途の補強具による接合の補強を行なう必要がない。
また、接合用部材１１をコーナー部材３の高さよりも高い位置に持っていく必要がないので、接合用部材１１を床に沿う方向に開口３３，４３に近づけて開口３３，４３を貫通させる作業は容易である。
【００４８】
コーナー部材３に対する補強部材４の取り付け後、作業者は、平板部材２の両側に２つのコーナー部材３を接合する作業を４回繰り返す。作業者は、平板部材２の長辺部をコーナー部材３の平板部３１に重ねると共に、２つの貫通孔２１を２つの貫通孔３２に重ねる。その後、作業者は各貫通孔２１を貫通孔３２に重ね、互いに重なる貫通孔２１，３２に、接合用部材１１の筒状部分１１１を例えば貫通孔２１側から押し入れて貫通させ、フランジ１１２を貫通孔２１の周縁部に押し付けて係合させる。次に、作業者は所定の操作により接合用部材１１の係合部を貫通孔３２の周縁部に係合させる。
【００４９】
接合用部材１１によって平板部材２がコーナー部材３の平板部３１に確実に接合されるので、別途の補強具による接合の補強を行なう必要がない。
また、接合用部材１１を平板部材２及びコーナー部材３夫々の高さよりも高い位置に持っていく必要がないので、接合用部材１１を床に沿う方向に貫通孔２１，３２に近づけて貫通孔２１，３２を貫通させる作業は容易である。
平板部材２と平板部３１との接合の手順は舌片４２と平板部３１との接合の手順と同様なので、作業者が迷うことはない。
【００５０】
最後に、作業者は２つの屋根部材５を取り付ける。接合部材４４，５１は面ファスナなので、作業者が屋根部材５の接合部材５１を補強部材４の接合部材４４に載せ置くだけで、屋根部材５を容易に取り付けることができる。
以上の結果、間仕切り１を簡単に組み立てることができる。
【００５１】
コーナー部材３は断面Ｌ字状をなすので、容易に自立する。平板部材２はコーナー部材３に接合されることにより自立する。従って、平板部材２を自立させるための別部材を用いることなく、平板部材２を壁とした簡易ブース１０を容易に形成することができる。
コーナー部材３はＬ字状をなし、且つ補強部材４によって補強されているので、平板部材２及び屋根部材５を支持するのに適している。
コーナー部材３の上部及び下部夫々にある補強部材４は、簡易ブース１０の使用者の邪魔になりにくい。
【００５２】
平板部材２に設けられた開口２３は、簡易ブース１０の出入口として利用することができる。また、平板部材２に設けられた開き戸２４で簡易ブース１０の出入口を開閉することができる。
簡易ブース１０は前後左右及び上側を間仕切り１によって囲まれているので、簡易ブース１０の密閉性は高い。故に、例えば簡易ブース１０内の空気調和の効率化を図ることができる。また、例えば簡易ブース１０内のみの空気調和を行なう場合、大部屋全体の空気調和を行なう場合よりも省エネルギー化を図ることができる。
【００５３】
なお、平板部材２、コーナー部材３、補強部材４、又は屋根部材５は段ボール製に限定されず、例えば合成樹脂製、木製、又は金属製でもよい。
採光のため、屋根部材５が透光性を有する素材で形成されていてもよく、透光性を有する窓部が平板部材２又は屋根部材５に設けられていてもよい。
間仕切り１は２つの屋根部材５の少なくとも一方を備えていなくてもよい。この場合、簡易ブース１０の換気及び採光に有利である。
１つの屋根部材５が４つの補強部材４に載置されてもよい。
屋根部材５は矩形板に限定されない。
【００５４】
本実施の形態では、４つの平板部材２が互いに合同であるが、対向配置される２つの平板部材２が互いに合同であればよい。
本実施の形態では、４つの平板部材２及び４つのコーナー部材３が交互に環状に並べられているが、これに限定されない。例えば、間仕切り１は開口２３及び開き戸２４が設けられた平板部材２を備えていなくてもよい。
貫通孔２１は、平板部材２の１辺部にのみ設けられてもよく、３辺部以上に設けられてもよい。
コーナー部材３の２つの平板部３１の内、一方にのみ貫通孔３２が設けられてもよい。
【００５５】
補強部材４を用いない場合、平板部３１に開口３３が設けられていなくてもよい。
補強部材４はコーナー部材３の長手方向の中途にも設けられてもよい。この場合、部材本体４１は物品を載置する棚として用いられてもよい。
コーナー部材３には上側の補強部材４だけ取り付けられてもよい。しかしながら、本実施の形態のようにコーナー部材３の上下２ヶ所にて２つの補強部材４が架設される場合、コーナー部材３の機械強度を更に増大させることができる。
【００５６】
接合用部材１１はダンボール迷路用の連結パーツに限定されない。例えば接合用部材１１はプッシュリベットでもよく、ボルト及びナットでもよく、クリップでもよい。接合用部材１１がクリップである場合、例えば接合用部材１１は貫通孔２１，３２を貫通して貫通孔２１の開口周縁部と貫通孔３２の開口周縁部とを挟み持つ。
接合用部材１１は合成樹脂製に限定されず、例えば金属製でもよい。
【００５７】
コーナー部材３はＬ字状をなす構成に限定されず、Ｖ字状をなす構成でもよい。即ち、２つの平板部３１間の角度は９０°に限定されない。補強部材４の部材本体４１の形状は、２つの舌片４２が設けられている２辺部間の角度が２つの平板部３１間の角度に対応する三角形であればよい。
４つのコーナー部材３の内、向かい合う１組夫々の角度が鋭角であり、向かい合う他の１組夫々の角度が鈍角でもよい。この場合、簡易ブース１０は平面視菱形をなす。
【００５８】
実施の形態  ２．
本実施の形態の間仕切り１は、簡易ブース１０の出入口の構成を除き、実施の形態１の間仕切り１と略同様である。以下では、実施の形態１との差異について説明し、その他、実施の形態１と同一の構成要素には同一の符号を付してそれらの説明を省略する。
【００５９】
図３は、実施の形態２に係る間仕切り１の斜視図である。
図４は、間仕切り１の分解斜視図である。
実施の形態１の間仕切り１は、開口２３及び開き戸２４が設けられている平板部材２を備えるが、本実施の形態の間仕切り１は、この平板部材２を備えていない。
【００６０】
間仕切り１が備える４つのコーナー部材３の内、２つのコーナー部材３は、夫々の両方の平板部３１に平板部材２が接合される。残る２つのコーナー部材３は、夫々の片方の平板部３１に平板部材２が接合される。
片方の平板部３１に平板部材２が接合される２つのコーナー部材３は、平板部材２が接合される平板部３１同士が平行に対向し、平板部材２が接合されない平板部３１の側端面同士が対向するようにして配される。
【００６１】
以上の結果、４つのコーナー部材３が簡易ブース１０の４隅となり、３つの平板部材２が簡易ブース１０を囲む３つの壁となるようにして、平板部材２の両側に２つのコーナー部材３が接合される。３つの平板部材２及び４つのコーナー部材３は、矩形状の簡易ブース１０の３方を囲む（４方の内の３方を囲む）。
【００６２】
間仕切り１は架設部材６及び幕状部材７を備える。
架設部材６は帯状をなし、両端部に開口６１が設けられている。開口６１の形状及び配置はコーナー部材３の開口３３の形状及び配置に対応する。
架設部材６の一面の中央部には、接合部材６２が設けられている。接合部材６２は、例えばメス型の面ファスナであり、架設部材６に貼り付けられている。
架設部材６は、例えば段ボール製であるが、これに限定されない。
【００６３】
架設部材６の両端部は、平板部材２が接合されない２つの平板部３１の上部と補強部材４の舌片４２との間に配される。このとき、接合部材６２が簡易ブース１０の外側を向き、架設部材６の開口６１と平板部３１の開口３３と補強部材４の開口４３とが重なるように配される。互いに重なる開口３３，４３，６１を接合用部材１１が貫通して開口３３，４３夫々の周縁部に係合することによって、舌片４２及び架設部材６の端部が平板部３１に接合される。この結果、架設部材６が、平板部材２が接合されない２つの平板部３１の上部同士の間に架設される。
【００６４】
幕状部材７は遮光性を有し、一方向に長い矩形状をなす。幕状部材７は、例えば布製であるが、これに限定されない。
幕状部材７の一方の短辺部には錘７１が設けられている。錘７１は、例えば紙製の筒であり、幕状部材７の一面における短辺部の全長にわたって貼り付けられている。錘７１は紙製の筒に限定されず、例えば合成樹脂製の棒でもよい。
幕状部材７の他方の短辺部には接合部材７２が設けられている。接合部材７２は、例えばオス型の面ファスナであり、幕状部材７の一面に、短辺部の全長にわたって貼り付けられている。
【００６５】
幕状部材７は、接合部材６２，７２が互いに接合されることによって、架設部材６から垂下する。
コーナー部材３はＬ字状をなし、且つ補強部材４によって補強されているので、架設部材６及び幕状部材７を支持するのに適している。
【００６６】
架設部材６と、架設部材６が接合された２つの平板部３１と、床とに囲まれる空間は、簡易ブース１０の出入口として利用することができる。また、使用者が幕状部材７を捲ることにより、簡易ブース１０の出入口を開けることができる。幕状部材７の下端部に錘７１があるので、捲られた幕状部材７は自然に再び垂下し、簡易ブース１０の出入口を閉じる。
【００６７】
幕状部材７の上端部には目隠し部材７３が設けられていることが望ましい。目隠し部材７３は幕状部材７の上端部を目隠しする帯状をなす。目隠し部材７３は例えば段ボール製であるが、これに限定されない。目隠し部材７３の一面に幕状部材７の上端部が貼り付けられることにより、幕状部材７の接合部材７２が設けられている部分が補強される。
【００６８】
架設部材６の架設は、接合用部材１１を用いて舌片４２と平板部３１との接合と同時的に行なえばよいので、簡単である。
接合部材６２，７２は面ファスナなので、幕状部材７の取り付けは容易である。
以上の結果、間仕切り１を簡単に組み立てることができる。
【００６９】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００７０】
１      間仕切り
１０    簡易ブース
１１    接合用部材
２      平板部材（板材）
２１    貫通孔
２３    開口
２４    開き戸
３      コーナー部材（板材）
３１    平板部
３２    貫通孔
３３    開口
４      補強部材
４１    部材本体
４２    舌片
４３    開口
５      屋根部材
６      架設部材
６１    開口
７      幕状部材
【図１】
0003233458.tif 000003
【図２】
0003233458.tif 000004
【図３】
0003233458.tif 000005
【図４】
0003233458.tif 000006